(57)【特許請求の範囲】
【請求項１】
リムとハブ軸からなるホイールを回転体とし、このホイールのハブ軸がマシンフレームの軸受に支持されて観覧車状態に取り付けられ、モータによって時計方向に回転するものであって、
ホイールのリム上にはその放射線方向にほぼ沿って短冊状の撓りを持った素材で形成した投球アーム１個を若干後方に傾斜して装着し、
その先端にはカップ状で野球のボールよりも口径大の凹部をもったハンドは丁番を介して組み合わされ、そのハンドは発射時以外開口面がリム側と対面しており、
リムに近接して設けたボール供給器からホイールが回転する所定の回数当たり１個のボールが、前記投球アームを時計の針に見立てた際の時刻でおよそ９時から１０時の間で供給され、リム上からハンドで受け入れられ、かつホイールの回転によってボールには遠心力が加えられ、
ホイールが回転する所定の回数のうち最終回転を終える直前に、投球アームとハンドの開口面と並行にするようハンドを自動開閉機構付設の丁番で回動させ、投球アームによる遠心力並びにアームの撓りによってボールを前方に発射することを特徴とするボール投球装置。
【請求項２】
前記回転中のホイールにあるリム並びに投球アーム上からボールの飛び出し防止をするリングボードが、前記ハブ軸とマシンフレーム軸受間の両側にスペーサで間隔を保って挿入されており、
このリングボードにはボール供給器の最下端が接する１箇所には、ボール供給口としてボールよりも大径な穴が穿たれている請求項１記載のボール投球装置。
【請求項３】
前記ボール投球装置においてハンドのボール受け入れから発射までの１サイクルが終わると、ホイールが一回転して新たに供給されるボールを受け入れ、その後前記のサイクルを繰り返すことによって連続的に打撃練習ができることを特徴とする請求項１記載のボール投球装置。
【発明の詳細な説明】
【技術分野】
【０００１】
この発明は野球、ソフトボール、テニス等の練習補助具であって、特に野球の打撃練習で使用するボール投球装置に関する。
【背景技術】
【０００２】
例えば従来からあるボール投球装置は、横回転のダブルホイール式又は縦振りのアーム式が一般的である。しかしいずれもボールに球速を与える手段として、限られた装置内にスプリング等を用いて瞬時に大きなパワーを発揮しなければならない。従って慣性や衝撃で振動が発生し且つ動力源に負担がかかる。それらはボールの発射時に発生する振動を防止する方策として、安定的に地面へ設置するには装置を重くしなければならなかった。
【０００３】
つまり装置が重くその可搬が困難になり、またボールを発射する動力源として家庭用電源か、屋外等で電源が無い場所ではエンジン発電機を必要とするという問題も生じる。
【先行技術文献】
【特許文献】
【０００４】
【特許文献１】特開平１０−１１３４１３号公報
【非特許文献】
【０００５】
【非特許文献１】「標準ストレートマシン製品番号ＳＡ１−ＳＤ」スナガ開発株式会                        社
【発明の概要】
【発明が解決しようとする課題】
【０００６】
そこで本発明は回転体に抵抗が小さく効率の良い既製の製品を用い、これによって発生する遠心力で装置の軽量化を図り、動力源としてバッテリーを直接装置に組み込こむボール投球装置を提供するものである。
【課題を解決するための手段】
【０００７】
そして本発明は前記目的を達成するためリム並びにハブ軸からなるホイールを回転体とし、このホイールのハブ軸が可搬台車上のマシンフレーム軸受に支持されて観覧車状態に取り付けられ、モータによって時計方向に回転させられるものである。前記リムに近接して設けたボール供給器からホイールが回転する所定の回数に対してボール１個を、時計の針に見立てた際の時刻でおよそ９時から１０時付近で供給されるボールは、リム上からアームを経由してハンドで受け入れし、ホイールの回転でボールに遠心力を与える。そしてホイールが回転する所定の回数を課した最終回転を終える直前の時計時刻１１時付近で、投球アームとハンド凹部の開口面を並行にすべきハンドを丁番で回動させ、投球アームの旋回並びに撓りによってボールに加えられた遠心力で前方に発射する。
【０００８】
前記ホイールのリム上にはその放射線方向にほぼ沿って、短冊状の撓りを持った素材で形成した投球アーム１個を若干後方に傾斜して装着し、その先端にはカップ状で野球のボールよりも大径の凹部をもったハンドは丁番を介して組み合わされ、このハンドは発射時以外開口面がリム側と対面している。
【０００９】
前記リムに近接して設けたボール供給器からホイールが回転する所定の回数に対してボール１個を、時計の針に見立てた際の時刻でおよそ９時から１０時付近で供給されるボールは、リム上からアームを経由してハンドで受け入れし、ホイールの回転でボールに遠心力を与える。そしてホイールが回転する所定の回数を課した最終回転を終える直前の時計時刻１１時付近で、投球アームとハンド凹部の開口面を並行にすべきハンドを丁番で回動させ、投球アームの旋回並びに撓りによってボールに加えられた遠心力で前方に発射する。
【００１０】
前記回転中のホイールにあるリム並びに投球アーム上からボールの飛び出し防止をするリングボードが、前記ハブ軸とマシンフレーム軸受間の両側にスペーサで間隔を保ち挿入している。そして前記リングボードにはボール供給器の最下端が接する１箇所にボール大の大きさで穴が穿たれてボール供給口が設けられている。
【００１１】
前記のボール受け入れから発射までの１サイクルが終わると、ホイールが一回転して新たに供給されるボールを受け入れし、その後前記の運動を繰り返すことによって連続的に打撃練習ができることを特徴とする。
【発明の効果】
【００１２】
本発明に係るボール投球装置は自転車のホイールを回転体に用いていることで、例えば従来の縦振りアーム式と比較した場合投球アームの旋回巾は約３倍あり、しかもホイールが連続回転することで抵抗が小さく付勢し、加えて遠心力の働き等で動力の負荷が軽減できる。また回転軸の軸振れが殆どないため振動も小さく、ボールの発射が安定した投球アームの旋回が可能となる。従って装置の軽量化と部分的に分解をすればコンパクトになり足元の悪い場所でも手軽に可搬ができる効果を発揮する。
【００１３】
本発明のボール投球装置は特に屋外の動力源が無い河川敷グランド等では装置内に組み込んだバッテリーで運転ができる効果を発揮する。
【図面の簡単な説明】
【００１４】
【図１】本発明のボール投球装置の実施例を示した平面図である。
【図２】同正面図である。
【図３】同左側面図である。
【図４】同右側面図である。
【図５】図１で示した装置のＡ−Ａ´線に沿った動作説明図である。
【図６】図５に連続した装置の動作説明図である。
【図７】同装置でボールを発射する直前の動作説明図である。
【発明を実施するための形態】
【００１５】
以下本発明の実施例を図１〜図７に示す具体例に基づいて説明する。図１で示した装置の平面図において、ボールを発射する右側が装置の前方で、左側はその後方である。
【００１６】
本発明による実施例を段階的に説明すると、第１段階では図１の平面図並びに図２の 正面図で示しているようにリム１とスポーク２並びにハブ軸３からなる自転車のホイール４（直径７００ｍｍ）を回転体とし、このホイール４のハブ軸３が可搬台車５（巾   ４８０ｍｍ、長さ７４０ｍｍ、地面よりの高さ１２０ｍｍ）上のマシンフレーム６軸受   に支持されて観覧車状態に装着し、その可搬台車５の下部にはキャスター７を前後して ジャッキ８が設置時の安定を計るために付設している。
【００１７】
次に第２段階ではホイール４のリム１上にはその放射線状方向にほぼ沿って弓状で短冊状の撓りを持った素材で形成した短冊状（巾６０ｍｍ、長さ４００ｍｍ）の投球アーム９１個を若干後方に傾斜させ装着し、その先端にはカップ状で野球のボールより口径大（直径７５ｍｍ）の凹部をもった軟質プラスチック内張りのハンド１０は、ボールの発射時以外凹部の開口面がリム１側と対面して自動開閉機構付設の丁番１１を介して組み合せをしている。
【００１８】
続いて第３段階ではリム１に近接して設けた断面樋状の螺旋型で、架台付き組み立て分解が可能なボール供給器１４からホイールが回転する所定の回数に対してボールＢ１個を、時計の針に見立てた際の時刻でおよそ９時から１０時付近（図５参照）でボール供給口１５からストッパー１６の制動によりボールを離脱させる。そしてリム１上から投球アーム９を経てハンド１０で受け入れしホイール４の回転（図１、６参照）でボールＢに遠心力を与える。そしてホイール４が回転する所定の回数、いわゆる打撃練習者の準備体制に合せて、ここでは１８回転のうち最終回転を終える直前の時計時刻１１時付近（図２，７参照）で、投球アーム９とハンド１０凹部の開口面を並行にすべき自動開閉機構付設の丁番１１でハンド１０を回動させ、投球アーム９の旋回並びに撓りによってボールに加えられた遠心力で前方に発射する。
【００１９】
前記回転中のホイール４にあるリム１並びに投球アーム９上からボール飛び出し防止の、リングボード１２ａ・ｂが組み立て分解可能に前記ハブ軸とマシンフレーム軸受間の両側に６箇所のスペーサ１３ａ・ｂ・ｃ・ｄ・ｅ・ｆで間隔を保ち挿入している。そして前記リングボード１２にはボール供給器１４の最下端が接する１箇所に、ボールＢ大の大きさで正方形の穴が穿たれたボール供給口１５が設けられている。またそのリングボード１２ａの左側上部には打撃練習者にボールＢの発射を知らせるパイロットランプ１７を備えている。
【００２０】
前記ホイール４の回転に用いるモータ１８はハブ軸３の下部に設けられ、回転軸にはドライブプーリ２０ａが、そのハブ軸３にはテールプーリ２１ａをベルトで連結させ回転させると共に、練習者のレベルに合わせそのプーリによって球速の可変を可能にしている。そしてそのモータ１８の下部は架台になっていて、もう一つの役目として前記モータの動力源となるバッテリーや制御回路、スイッチ等を内蔵する収納ボックス兼用の制御盤１９として備えている。上記モータ１８とベルトで連結したハブ軸３の反対側同軸には、ドライブプーリ２０ｂが、その下部にある発電機の回転軸にはテールプーリ２１ｂをベルトで連結させ、上記モータ１８の回転駆動力をハブ軸３からその同軸に伝動して発電機２２で電力を発生させ、バッテリーの電圧が１２Ｖとしたら１４Ｖまでディストリビュータで昇圧し、そのバッテリーに充電させて過度の消耗を抑制している。
【００２１】
図１、図２は前記第１段階から第４段階までを、実施の形態で具体例を示した平面図並びに正面図である。
【００２２】
図３は可搬台車５、マシンフレーム６ａ、キャスター７ａ・b、ジャッキ８ａ・ｂ、リングボード１２ａ、ボール供給器１４、パイロットランプ１７、モータ１８、制御盤１９、ドライブプーリ２０ａ、テールプーリ２１ａのそれぞれを構成して実施例を示した左側面図である。
【００２３】
図４は図３で述べた以外のマシンフレーム６ｂ、キャスター７ｃ・ｄ、リングボード
１２ｂ、ドライブプーリ２０ｂ、テールプーリ２１ｂ、発電機２２のそれぞれを構成して実施例を示した右側面図である。
【００２４】
図５は図３、図４で述べた以外のリム１、スポーク２、ハブ軸３、ホイール４、投球アーム９、ハンド１０、丁番１１、スペーサ１３ａ・ｂ・ｃ・ｄ・ｅ・ｆ、ボール供給口１５、ストッパー１６のそれぞれを構成して実施例を示したＡ−Ａ´ 概略断面図である。
【００２５】
図５でハンド１０にボールＢ受け入れから発射までの１サイクルが終わると、ホイール４が一回転して新たに供給されるボールをハンド１０が受け入れし、その後前記のサイクルを繰り返すことによって連続的に打撃練習ができる実施例を示した図１〜図７までの関連各図である。
【産業上の利用可能性】
【００２６】
本発明のボール投球装置は回転手段に自転車のホイールを用いて軽量化を図り、動力源としてバッテリーを直接装置内に組み込みこんだボール投球装置を提供できることによって低年齢層を含めた野球界の幅広い分野に普及する期待が持てる。
【符号の説明】
【００２７】
１  リム
２  スポーク
３  ハブ軸
４  ホイール
５  可搬台車
６ａ・ｂ  マシンフレーム
７ａ・ｂ・ｃ・ｄ  キャスター
８ａ・ｂ  ジャッキ
９  投球アーム
１０  ハンド
１１  丁番
１２ａ・ｂ  リングボード
１３ａ・ｂ・ｃ・ｄ・ｅ・ｆ  スペーサ
１４  ボール供給器
１５  ボール供給口
１６  ストッパー
１７  パイロットランプ
１８  モータ
１９  制御盤
２０ａ・ｂ  ドライブプーリ
２１ａ・ｂ  テールプーリ
２２  発電機
Ｂ    ボール             
【図１】
0005476522.tif 000002
【図２】
0005476522.tif 000003
【図３】
0005476522.tif 000004
【図４】
0005476522.tif 000005
【図５】
0005476522.tif 000006
【図６】
0005476522.tif 000007
【図７】
0005476522.tif 000008